(57)【特許請求の範囲】
【請求項１】
太陽電池モジュールのプラス電極とマイナス電極とを接続自在な少なくとも一対の端子板と、
端子板にわたって接続された逆流防止用ダイオードとを、
ボックス本体に納めてある端子ボックスであって、
前記端子板に、前記逆流防止用ダイオードのリード線を載置状態に支持する支持部と、前記リード線を挟持状態に支持する挟持部とを設け、
前記支持部と前記挟持部との間に、前記リード線と前記端子板との接続時に接続用半田の位置決めとなる凹部が設けてある端子ボックス。
【請求項２】
前記端子板は、板金製で構成してあり、
前記支持部は、前記端子板の面部分を膨出させた膨出部で構成してあり、
前記挟持部は、前記端子板の縁部を切り起こした一対の切り起こし部で構成してある請求項１に記載の端子ボックス。
【発明の詳細な説明】
【技術分野】
【０００１】
本発明は、太陽電池モジュールのプラス電極とマイナス電極とを接続自在な少なくとも一対の端子板と、端子板にわたって接続された逆流防止用ダイオードとを、ボックス本体に納めてある端子ボックスに関する。
【背景技術】
【０００２】
従来、この種の端子ボックスとしては、一対の平面状の端子板を間隔をあけて並設し、それら端子板にわたって逆流防止用ダイオードを載置し、端子板の全幅にわたって逆流防止用ダイオードのリード線を載置して半田付けしてあった（例えば、特許文献１参照）。
【先行技術文献】
【特許文献】
【０００３】
【特許文献１】実用新案登録第３０６９５２３号公報
【発明の概要】
【発明が解決しようとする課題】
【０００４】
上述した従来の端子ボックスによれば、平面状の端子板上に逆流防止用ダイオードのリード線を載置した状態で半田付けしてあるから、半田が端子板上の平面に沿って他部に広がりやすく、広がった半田の熱で、他部（例えば、素子等）に悪影響を与える危険性がある上、半田が他部に広がることで肝心のリード線の部分に不足すれば、固定強度が低くなる危険性があった。
即ち、逆流防止用ダイオードの固定状況が不安定になり易い問題点があった。
【０００５】
従って、本発明の目的は、上記問題点を解消し、端子板に対する逆流防止用ダイオードの固定をより確実なものにできる端子ボックスを提供するところにある。
【課題を解決するための手段】
【０００６】
本発明の第１の特徴構成は、太陽電池モジュールのプラス電極とマイナス電極とを接続自在な少なくとも一対の端子板と、端子板にわたって接続された逆流防止用ダイオードとを、ボックス本体に納めてある端子ボックスであって、前記端子板に、前記逆流防止用ダイオードのリード線を載置状態に支持する支持部と、前記リード線を挟持状態に支持する挟持部とを設け、前記支持部と前記挟持部との間に、前記リード線と前記端子板との接続時に接続用半田の位置決めとなる凹部が設けてあるところにある。
【０００７】
本発明の第１の特徴構成によれば、前記凹部を設けてあるから、端子板上で半田を凹部付近に位置決めし易くなり、従来のように、広がった半田の熱で、他部（例えば、素子等）に悪影響を与えたり、半田が他部に広がって固定強度が低くなったりするのを防止できる。従って、少ない半田の使用量でも確実に半田固定を行うことができる。
更には、前記逆流防止用ダイオードのリード線は、端子板に対して、前記支持部によって載置状態に支持されると共に、前記挟持部によって挟持支持され、上述のように前記凹部に位置決めされた半田によって固定されるから、従来の端子ボックスに比べて、より確実な状態に固定することができる。
【０００８】
本発明の第２の特徴構成は、前記端子板は、板金製で構成してあり、前記支持部は、前記端子板の面部分を膨出させた膨出部で構成してあり、前記挟持部は、前記端子板の縁部を切り起こした一対の切り起こし部で構成してあるところにある。
【０００９】
本発明の第２の特徴構成によれば、前述のような作用効果を叶えることができながら、その具体的な構成は、特別な部品を設ける必要が無く、一枚の端子板に対する簡単な加工によって実現することができ、製作コストの低減化を図ることができる。
【図面の簡単な説明】
【００１０】
【図１】端子ボックスを示す分解斜視図
【図２】端子板とダイオードとの接続状況を示す拡大斜視図
【図３】図２におけるIII −III 線の断面図
【図４】図２におけるIV−IV線の断面図
【発明を実施するための形態】
【００１１】
以下に本発明の実施の形態を図面に基づいて説明する。
図１は、本発明による太陽電池モジュール用の端子ボックスＢを示す。
端子ボックスＢは、樹脂製のボックス本体１と、当該ボックス本体１の開口部１ａを塞ぐ樹脂製の蓋体２とを備える。
蓋体２は、当該蓋体２の左右に一体形成した爪２ａを、ボックス本体１の左右に一体形成した係止部１ｂに押し込んで係止させることにより、開口部１ａを塞ぐ。
【００１２】
ボックス本体１の内側には、太陽電池モジュールの一対の帯板状の出力端子３を、蓄電池などに接続される一対の出力ケーブル４の夫々に電気的に各別に接続可能な一対の端子板６を組み付けてある。
一対の出力端子３は、ボックス本体１の底板１ｃに貫通形成した一対の導入孔１ｄを通して、ボックス本体１の内側に各別に導入される。
【００１３】
端子板６の夫々は、導電性金属板によって構成してあり、図２〜４に示すように、出力端子３が電気的に接続される端子接続部１７と、逆流防止用ダイオード（以後、単にダイオードという）１８が電気的に接続されるダイオード接続部１９と、出力ケーブル４が電気的に接続されるケーブル接続部２０とを一体に備えて構成してあり、ボックス本体１の底板１ｃに立設された係止爪１ｅによって固定されている（図１参照）。
【００１４】
前記端子接続部１７は、図２に示すように、出力端子３の先端部を挿通させる略矩形形状の挿通孔１７Ａと、挿通孔１７Ａの周部の一辺から切り起こされた揺動係止片部１７Ｂとを設けて構成してある。端子接続部１７への出力端子３の取り付けの一例としては、例えば、挿通孔１７Ａに出力端子３の先端部を挿通させた状態で揺動係止片部１７Ｂを挿通孔１７Ａに押し戻し、挿通孔１７Ａの内周縁部１７ａと、揺動係止片部１７Ｂの揺動先端側縁部１７ｂとの間に出力端子３を挟圧状態で固定する等の方法が挙げられる。更には、端子接続部１７の上面に重なる出力端子３の部分を半田付けしてもよい。
また、端子接続部１７の両側縁部は、上方側に切り起こしたリブ１７Ｃとして構成してあり、端子接続部１７の補強を図っている。このリブ１７Ｃは、前記ボックス本体１の係止爪１ｅが係止する対象部分となっている。
【００１５】
前記ダイオード接続部１９は、図２、図３に示すように、その両側縁部は、上方側にリブ状に切り起こした切り起こし部１９Ｃとして構成してある一方、幅方向の中央部は、端子板６の面部分を膨出させた膨出部１９Ａとして構成してある。
従って、切り起こし部１９Ｃと膨出部１９Ａとの間は、凹部１９Ｂとなっている。
【００１６】
また、前記切り起こし部１９Ｃには、一対の突出部２１が一体に形成してあり、これら突出部２１の間隔は、ダイオード１８のリード線１８ａを内嵌させることができる寸法に設定してある。一対の突出部２１間に、リード線１８ａを内嵌させた状態で、一対の突出部２１どうしを、図４に示すように、近接する方向に塑性変形させる（かしめる）ことで、リード線１８ａを挟持状態に支持することができる。
前記一対の突出部２１で挟持部Ｋが構成されている。
【００１７】
一方、前記膨出部１９Ａは、ダイオード１８のリード線１８ａを載置状態に支持しており、この膨出部１９Ａによって支持部Ｓが構成されている。
【００１８】
前記端子板６への前記ダイオード１８の固定は、挟持部Ｋによる挟持固定と、凹部１９Ｂでの半田付けによる固着との併用によって実施されている。接続用半田Ｈは、溶融状態では平面上に広がる傾向があるが、図３に示すように、突出部２１と膨出部１９Ａとで挟まれた凹部１９Ｂによって半田Ｈは位置決めされるから、他部に逸脱するのを防止できる。
【００１９】
前記ケーブル接続部２０は、図２に示すように、縮径可能な状態に形成された湾曲状のカシメ部２０Ａによって構成してあり、このカシメ部２０Ａ上に、出力ケーブル４の金属芯４ａを載置した状態で、カシメ部２０Ａで金属芯４ａを囲繞する状態にカシメることで導通状態に接続することができる。
【００２０】
尚、当該端子ボックスＢは、太陽電池モジュールに対して、裏面部を接着等の手段によって取り付けられる。また、当該端子ボックスＢの内空部には、防水・絶縁等の目的によって樹脂注入が実施されることもある。
【００２１】
本実施形態の端子ボックスによれば、凹部１９Ｂを設けてあるから、半田Ｈの逸脱を抑制でき、少ない半田Ｈの使用量でも確実にダイオード１８を固定することができる。
更には、ダイオード１８のリード線１８ａは、端子板６に対して、膨出部１９Ａによって載置状態に支持されると共に、挟持部Ｋによる挟持支持と、凹部１９Ｂにおける半田固定によって、より確実な状態に固定することができる。
更には、その具体的な構成は、特別な部品を設ける必要が無く、一枚の端子板６に対する簡単な加工によって実現することができ、製作コストの低減化を図ることができる。
【００２２】
〔別実施形態〕
以下に他の実施の形態を説明する。
【００２３】
〈１〉  前記端子ボックスＢは、先の実施形態で説明した形状や構造に限るものではなく、例えば、平面形状が矩形形状であることに替えて、矩形以外の多角形や、円形、楕円形等であってもよい。
また、蓋体を設けないボックス形状の構成であってもよい。
〈２〉  前記端子板６は、先の実施形態で説明した形状や構造に限るものではなく、例えば、膨出部１９Ａや切り起こし部１９Ｃの変形も可能である。
また、切り起こし部１９Ｃの一対の突出部２１は、端子板６の両側縁の内、ボックス本体外側に位置する方の一対のみをカシメて、ダイオード１８のリード線１８ａを挟持することに限らず、例えば、端子板６の両側縁の突出部２１の対の何れをもカシメてリード線１８ａを挟持するものであってもよい。
更には、端子板６の両側縁の内、ボックス本体内側に位置する方の一対のみをカシメて、ダイオード１８のリード線１８ａを挟持するように構成してもよい。
従って、半田Ｈを施す凹部１９Ｂも、膨出部１９Ａの両側方の凹部１９Ｂの何れか一方、又は、両方であってもよい。
また、先の実施形態においては、端子板６は二つとし、ダイオード１８は一つとしたものを説明したが、これに限るものではなく、例えば、端子板６が三つ以上、ダイオード１８が二つ以上等、太陽電池モジュールの容量等を考慮して適宜決定することができる。
【００２４】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２５】
１      ボックス本体
６      端子板
１８    逆流防止用ダイオード
１８ａ  リード線
１９Ａ  膨出部
１９Ｂ  凹部
１９Ｃ  切り起こし部
Ｈ      接続用半田
Ｋ      挟持部
Ｓ      支持部
【図１】
0005459859.tif 000002
【図２】
0005459859.tif 000003
【図３】
0005459859.tif 000004
【図４】
0005459859.tif 000005